(57)【特許請求の範囲】
【請求項１】
電気絶縁性のブロック体に複数の信号コンタクトが組み込んである構造であるコンタクト組立体と、
表面に、コンタクト接続用パッド、ワイヤ接続用パッド、及び該コンタクト接続用パッドと該ワイヤ接続用パッドとをつなぐ配線パターンを有し、内部に、グランド層を有し、該コンタクト接続用パッドを前記信号コンタクトと電気的に接続させて、前記コンタクト組立体の背面側に取り付けてある中継配線基板と、
端のワイヤを前記ワイヤ接続用パッドと電気的に接続させて、前記中継配線基板に接続してあるケーブルとを有するケーブルコネクタにおいて、
該中継配線基板は、内部に、インピーダンス整合用のグランドパターンを有する構成としたことを特徴とするケーブルコネクタ。
【請求項２】
請求項１に記載のケーブルコネクタにおいて、
前記中継配線基板は、前記インピーダンス整合用のグランドパターンが、前記コンタクト接続用パッドと前記前記グランド層との間に設けてある構成としたことを特徴とするケーブルコネクタ。
【請求項３】
電気絶縁性のブロック体に複数の信号コンタクトとグランドコンタクトとが組み込んである構造であるコンタクト組立体と、
内部にグランド層を有し、上面に、第１のコンタクト接続用パッド、第１のワイヤ接続用パッド、該第１のコンタクト接続用パッドと該第１のワイヤ接続用パッドとをつなぐ第１の配線パターン、及び第１の櫛歯状のグランドパターンを有し、下面に、第２のコンタクト接続用パッド、第２のワイヤ接続用パッド、該第２のコンタクト接続用パッドと該第２のワイヤ接続用パッドとをつなぐ第２の配線パターン、及び第２の櫛歯状のグランドパターンを有し、前記第１、第２のコンタクト接続用パッドを前記信号コンタクトと電気的に接続させ、前記第１、第２のグランドパターンを前記グランドコンタクトと電気的に接続させて、前記コンタクト組立体の背面側に取り付けてある中継配線基板と、
複数のシールドされているペア電線を有し、且つ、各ペア電線の端より露出している二本のワイヤの一方を前記中継配線基板の前記第１のワイヤ接続用パッドと電気的に接続させ、他方を前記中継配線基板の前記第２のワイヤ接続用パッドと電気的に接続させて、前記中継配線基板に接続してあるケーブルとを有するケーブルコネクタにおいて、
前記中継配線基板は、内部に、インピーダンス整合用のグランドパターンを有する構成としたことを特徴とするケーブルコネクタ。
【請求項４】
請求項３に記載のケーブルコネクタにおいて、
前記中継配線基板は、前記インピーダンス整合用のグランドパターンが、前記第１のコンタクト接続用パッドと前記グランド層との間、及び前記第２のコンタクト接続用パッドと前記グランド層との間に設けてある構成としたことを特徴とするケーブルコネクタ。
【請求項５】
前記ブロック体より出て前記コンタクト接続用パッドに至っている前記信号コンタクトがまたぐ部位に、前記インピーダンス整合用のグランドパターンを有する構成としたことを特徴とする請求項１に記載のケーブルコネクタ。
【請求項６】
前記ブロック体より出て前記第１及び第２のコンタクト接続用パッドに至っている前記信号コンタクトがまたぐ部位に、前記インピーダンス整合用のグランドパターンを有する構成としたことを特徴とする請求項３に記載のケーブルコネクタ。
【請求項７】
前記中継配線基板の上面及び下面のうち、接続されたワイヤに対向する部位に、前記第１、第２の櫛波状のグランドパターンの繋ぎパターン部が位置しないことを特徴とする請求項６に記載のケーブルコネクタ。
【請求項８】
請求項１又は請求項５に記載のケーブルコネクタにおいて、
前記ワイヤ接続用パッドは、ワイヤ位置決めのための溝部を有する構成であることを特徴とするケーブルコネクタ。
【請求項９】
請求項３，６、７のうち何れか一項記載のケーブルコネクタにおいて、
前記第１、第２のワイヤ接続用パッドは、ワイヤ位置決めのための溝部を有する構成であることを特徴とするケーブルコネクタ。
【請求項１０】
請求項１又は請求項５に記載のケーブルコネクタにおいて、
前記中継配線基板は、前記ワイヤ接続用パッドと接続された複数のビアを有する構成としたことを特徴とするケーブルコネクタ。
【請求項１１】
請求項３，６、７のうち何れか一項記載のケーブルコネクタにおいて、
前記中継配線基板は、前記第１、第２のワイヤ接続用パッドと接続された複数のビアを有する構成としたことを特徴とするケーブルコネクタ。
【発明の詳細な説明】
【技術分野】
【０００１】
本発明はケーブルコネクタに係り、特に中継配線基板を使用している構成であり、コンタクト組立体に中継配線基板が結合してあり、この中継配線基板の端にケーブルの端が接続してある構成の平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されつつある。
【０００３】
業界においては、信号の伝送経路はインピーダンスが所定の値、例えば１００Ωと規定されている。信号の伝送経路は、平衡伝送用ケーブルの部分の他に、平衡伝送用ケーブルコネクタの部分も含まれる。信号の伝送経路の全長に亘ってインピーダンスが１００Ωであることが理想である。特に信号を高速で伝送する場合には、一部分におけるインピーダンスの変化であっても、信号の伝送特性に影響が出ることがある。
【０００４】
そこで、平衡伝送用ケーブルコネクタについてみると、各部におけるインピーダンスの変化ができるだけ少ないことが望ましい。
【背景技術】
【０００５】
図１は従来の平衡伝送用ケーブルコネクタ１０を概略的に示す。図２は図１中、中継配線基板２０の断面及び中継配線基板２０と平衡伝送用ケーブル４０及びコンタクト組立体１１との接続部分を拡大して示す。図３（Ａ），（Ｂ）は中継配線基板２０を示す。Ｘ１−Ｘ２、Ｙ１−Ｙ２、Ｚ１−Ｚ２は夫々平衡伝送用ケーブルコネクタ６０の幅方向、長手方向、高さ方向である。Ｙ１は後方、Ｙ２は前方である。
【０００６】
平衡伝送用ケーブルコネクタ１０は、コンタクト組立体１１の背面側に中継配線基板（パドルカード）２０が接続してあり、平衡伝送用ケーブル４０の端が中継配線基板２０の端に接続してあり、コンタクト組立体１１、中継配線基板２０、及びケーブル４０の先端部分が、シールドハウジング５０でもって覆われている構成である。
【０００７】
中継配線基板２０は、二層構造であり、内部に全面に亘るグランド層２２を有し、図３（Ａ）に示すように、上面２１ａに、コンタクト接続用パッド２３、ワイヤ接続用パッド２４、両者をつなぐ配線パターン２５、及びグランドパターン２６を有し、図３（Ｂ）に示すように、下面２１ｂに、コンタクト接続用パッド３３、ワイヤ接続用パッド３４、両者をつなぐ配線パターン３５、及びグランドパターン３６を有する構造である。図２に示すように、コンタクト接続用パッド２３、３３とグランド層２１との間の距離Ａと、ワイヤ接続用パッド２３、２６とグランド層２１との間の距離Ｂとは等しい。グランドパターン２６、３６は、共に、櫛歯形状であり、隣り合う配線パターン２５、３５の間を延在する仕切り用パターン部２７、３７と、Ｙ１側をＸ方向に延びて仕切り用パターン部２７、３７のＹ１側端を接続しているＹ１側繋ぎパターン部２８、３８とを有する。
【０００８】
コンタクト組立体１１の信号コンタクト１２、１３が夫々コンタクト接続用パッド２３、３３と半田付けしてある。また、ケーブル４０の端のワイヤ４１，４２が夫々ワイヤ接続用パッド２４、３４と半田付けしてある。
【０００９】
図１に示すように、平衡伝送用ケーブルコネクタ１０は、配線パターン２４、２７の区間６０と、ワイヤ４１，４２が夫々ワイヤ接続用パッド２４、３４と半田付けしてある区間７０と、信号コンタクト１３、１４が夫々コンタクト接続用パッド２３、３３と半田付けしてある区間８０とを有する。
【特許文献１】特開２００３−０５９５９３号公報
【発明の開示】
【発明が解決しようとする課題】
【００１０】
区間６０については、インピーダンスＩｐ６０は目標値の１００Ωとなっている。
【００１１】
しかし、区間８０についてみると、信号コンタクト１２、１３のうちコンタクト接続用パッド２３、３３と半田付けしてある指部１３ｂ、１４ｂの形状及び体積との関係で、インピーダンスＩｐ８０は目標値の１００Ωより若干高くなっていることが分かった。
【００１２】
また、区間７０についてみると、図２中の拡大して示す図中、円Ａで囲んで示すように、ワイヤ４１（４２）の一部が夫々Ｙ１側繋ぎパターン部２８（３８）と対向している関係で、インピーダンスＩｐ８１は目標値の１００Ωより若干違っていることが分かった。即ち、Ｙ１側繋ぎパターン部２８、３８がインピーダンスＩｐ８０に影響を与えていることがわかった。
【００１３】
本発明は、上記の点に鑑みなされたものであり、中継配線基板の部分における伝送特性の改善を図ったケーブルコネクタを提供することを目的とする。
【課題を解決するための手段】
【００１４】
そこで、上記課題を解決するため、本発明は、電気絶縁性のブロック体に複数の信号コンタクトが組み込んである構造であるコンタクト組立体と、
表面に、コンタクト接続用パッド、ワイヤ接続用パッド、及び該コンタクト接続用パッドと該ワイヤ接続用パッドとをつなぐ配線パターンを有し、内部に、グランド層を有し、該コンタクト接続用パッドを前記信号コンタクトと電気的に接続させて、前記コンタクト組立体の背面側に取り付けてある中継配線基板と、
端のワイヤを前記ワイヤ接続用パッドと電気的に接続させて、前記中継配線基板に接続してあるケーブルとを有するケーブルコネクタにおいて、
該中継配線基板は、内部に、インピーダンス整合用のグランドパターンを有する構成としたことを特徴とする。
【発明の効果】
【００１５】
本発明によれば、インピーダンス整合用のグランドパターンによって、信号コンタクトがコンタクト接続用パッドに接続されている区間のインピーダンスが所定の値に整合され、ケーブルコネクタの伝送特性が改善される。
【発明を実施するための最良の形態】
【００１６】
次に本発明の実施の形態について説明する。
【実施例１】
【００１７】
図４は本発明の実施例１の平衡伝送用ケーブルコネクタ１００を概略的に示す。図５は図４中、中継配線基板１２０の断面及び中継配線基板１２０と平衡伝送用ケーブル４０及びコンタクト組立体１１との接続部分を拡大して示す。図６（Ａ），（Ｂ）は平衡伝送用ケーブルコネクタ１００をシールドハウジング５０を取り外した状態で示す。図７はコンタクト組立体を示す。図８（Ａ），（Ｂ）は中継配線基板の斜視図である。図９は中継配線基板の概略断面図である。図１０は中継配線基板のパターンを取り出して示す。図１１は平衡伝送用ケーブルを示す。Ｘ１−Ｘ２、Ｙ１−Ｙ２、Ｚ１−Ｚ２は夫々平衡伝送用ケーブルコネクタ６０の幅方向、長手方向、高さ方向である。Ｙ１は後方、Ｙ２は前方である。
【００１８】
平衡伝送用ケーブルコネクタ１００は、図１に示す平衡伝送用ケーブルコネクタ１０と比較して、中継配線基板１２０が相違し、コンタクト組立体１１と、中継配線基板１２０と、平衡伝送用ケーブル４０とを有する。図４乃至図１１中、図１乃至図３に示す構成部分と対応する部分には同じ符号を付す。
［コンタクト組立体１１］
図７はコンタクト組立体１１を一部分解して示す。図７に示すように、コンタクト組立体１１は、電気絶縁性のブロック体１２に、対をなす第１の信号コンタクト１３と第２信号コンタクト１４が対をなして列の方向（Ｚ１−Ｚ２方向）に並んでおり、且つ、この対をなす第１、第２の信号コンタクト１３，１４と、板状のグランドコンタクト１５とが行の方向（Ｘ１−Ｘ２方向）にピッチＰで交互に並んで組み込まれている構成である。ブロック体１２はＹ２側にプラグ本体部１２ａが突き出ている。このプラグ本体部１２ａには溝が並んで形成してある。第１、第２の信号コンタクト１３、１４は、第１、第２の信号コンタクト部１３ａ、１４ａと、第１、第２の指部１３ｂ、１４ｂとを有する。グランドコンタクト１５は、グランドコンタクト部１５ａとフォーク部１５ｂとを有する。第１、第２の信号コンタクト１３、１４及びグランドコンタクト１５はブロック体１２にＹ１側からＹ２方向に突き刺すようにして組み込んであり、第１の信号コンタクト部１３ａがプラグ本体部１２ａの上面に露出し、第２の信号コンタクト部１４ａがプラグ本体部１２ａの下面に露出し、グランドコンタクト部１５ａの上下端面がプラグ本体部１２ａの上下面に露出し、第１、第２の指部１３ｂ、１４ｂ及びフォーク部１５ｂがブロック体１２よりＹ１側に突き出している。２つの信号コンタクトが一つのコンタクト対を構成する。
［中継配線基板１２０］
図８（Ａ），（Ｂ）は中継配線基板１２０を夫々Ｚ１、Ｚ２側から見た斜視図である。図９は中継配線基板１２０の概略断面図、図１０はパターンを取り出して示す図である。
【００１９】
中継配線基板１２０は、略正方形の基板であり、内部にインピーダンスを目標の値である１００Ωに整合させるためのインピーダンス整合用グランドパターン１４０，１４１を有する。インピーダンス整合用グランドパターン１４０，１４１を設けたことによって、中継配線基板１２０は四つの絶縁層（１）〜（４）を有する構造となっている。
【００２０】
中継配線基板１２０は、内部にグランド層１２２及びインピーダンス整合用グランドパターン１４０，１４１を有し、Ｚ１側の上面１２１ａに、第１のコンタクト接続用パッド１２３、第１のワイヤ接続用パッド１２４、第１のコンタクト接続用パッド１２３と第１のワイヤ接続用パッド１２４をつなぐ第１の配線パターン１２５、及び第１のグランドパターン１２６を有し、Ｚ２側の下面１２１ｂに、第２のコンタクト接続用パッド１３３、第２のワイヤ接続用パッド１３４、第２のコンタクト接続用パッド１３３と第２のワイヤ接続用パッド１３４をつなぐ第２の配線パターン１３５、及び第２のグランドパターン１３６を有する構造である。
【００２１】
第１、第２のグランドパターン１２６、１３６は、共に、櫛歯形状であり、隣り合う第１、第２の配線パターン１２５、１３５の間を延在する仕切り用パターン部１２７、１３７と、Ｙ２側をＸ方向に延びて仕切り用パターン部１２７、１３７のＹ２側端を接続しているＹ２側繋ぎパターン部１２８、１３８とを有する。このＹ２側繋ぎパターン部１２８、１３８は、中継配線基板１２０がコンタクト組立体１１の背面側に嵌合して接続された状態で、ブロック体１２よりＹ１方向に突き出て第１、第２のコンタクト接続用パッド１２３、１３３に至っている第１、第２の指部１３ｂ、１４ｂがまたぐ部位に設けてあり、後述するようにインピーダンス整合機能を有する。第１、第２のグランドパターン１２６、１３６は、図３（Ａ），（Ｂ）に示すＹ１側繋ぎパターン部２８、３８に対応するパターン部は有しない。
【００２２】
グランド層１２２は、中継配線基板１２０の厚さ方向の中央に位置しており、中継配線基板１２０の全面に亘っている。
【００２３】
インピーダンス整合用グランドパターン１４０、１４１はＸ１−Ｘ２方向に長い帯状である。インピーダンス整合用グランドパターン１４０は、グランド層１２２と第１のコンタクト接続用パッド１２３との間に配置してある。インピーダンス整合用グランドパターン１４１は、グランド層１２２と第２のコンタクト接続用パッド１３３との間に配置してある。インピーダンス整合用グランドパターン１２１、１２２は、第１、第２のコンタクト接続用パッド１２３、１３３の長さＬに等しい幅Ｗを有し、第１、第２のコンタクト接続用パッド１２３、１３３に対向する位置に配置してある。
【００２４】
図４中、区間８０のインピーダンスは、各第１のコンタクト接続用パッド１２３とインピーダンス整合用グランドパターン１４０との間の距離及び各第２のコンタクト接続用パッド１３３とインピーダンス整合用グランドパターン１４１との間の距離Ｃによって決定される。この距離Ｃは、前記の距離Ｂの約半分であり、第１、第２の信号コンタクト部１３ａ、１４ａが半田付けされていない状態で、区間８０のインピーダンスは、従来の中継配線基板２０の区間８０のインピーダンスよりも低くなっている。
【００２５】
なお、距離Ｂは、ワイヤ接続用パッド１２４、１３４のインピーダンス整合に必要な層間厚さであり、例えば０．５ｍｍである。距離Ｃは、コンタクト接続用パッド１２３、１３３のインピーダンス整合に必要な層間厚さであり、例えば０．２５ｍｍである。
【００２６】
また、上記のＹ２側繋ぎパターン部１２８、１３８は後述するように夫々第１の信号コンタクト１３の第１の指部１３ｂ及び第２の信号コンタクト１４の第２の指部１４ｂがまたぐ部位に配置してあり、インピーダンス整合用グランドパターンとして機能する。
［平衡伝送用ケーブル４０］
図１１（Ａ）、（Ｂ）は平衡伝送用ケーブル４０を示す。平衡伝送用ケーブル４０は、図１１（Ａ）に示すように、外部被覆４３と遮蔽網線４４とよりなる二重被覆構造のチューブの内部に８本のペア電線４５が収まっている構造である。各ペア電線４５は、図１１（Ｂ）に示すように、平衡信号伝送用の対をなす絶縁被覆信号電線４６、４７とドレンワイヤ４８とが螺旋状に巻かれた金属テープ４９によって束ねられてシールドされている構造である。ペア電線４５の端からは、絶縁被覆信号電線４６、４７とドレンワイヤ４８とが外側に延びており、絶縁被覆信号電線４６、４７の先端は処理されて信号ワイヤ４１，４２が露出している。
［平衡伝送用ケーブルコネクタ１００］
再度、図４及び図６を参照するに、平衡伝送用ケーブルコネクタ１００は、コンタクト組立体１１の背面側に中継配線基板１２０が接続してあり、平衡伝送用ケーブル４０の端が中継配線基板１２０の端に接続してあり、コンタクト組立体１１、中継配線基板１２０、及びケーブル４０の先端部分が、シールドハウジング５０でもって覆われている構成である。
【００２７】
コンタクト組立体１１のＹ１側に中継配線基板１２０のＹ２側端が嵌合されて、第１のコンタクト接続用パッド１２３が第１の信号コンタクト１３の第１の指部１３ｂと半田付けされ、第２のコンタクト接続用パッド８２が第２の信号コンタクト１４の第２の指部１４ｂと半田付けされ、グランドパターン７５、８５がグランドコンタクト１５のフォーク部１５ｂと半田付けされて固定してある。
【００２８】
平衡伝送用ケーブル４０は、各ペア電線４５の先端の信号ワイヤ４１，４２が夫々第１、第２のワイヤ接続用パッド１２３、１３３に半田付けされている。なお、各ペア電線４５から延びているドレンワイヤ４８はまとめて、一つのパッドに半田付けしてあり、平衡伝送用ケーブルコネクタ１００の組み立て作業がしやすい。
【００２９】
平衡伝送用ケーブルコネクタ１００は、中継配線基板７０の部分に、前記と同様に、区間６０Ａ、７０Ａ，８０Ａを有する。区間７０Ａは、図１中の区間７０に対応する区間であり、ワイヤ４１，４２が夫々第１、第２のワイヤ接続用パッド１２４、１３４と半田付けしてある区間である。区間８０Ａは、図１中の区間８０に対応する区間であり、信号コンタクト１３、１４が夫々第１、第２のコンタクト接続用パッド１２３、１３３と半田付けしてある区間である。区間６０Ａは、図１中の区間６０に対応する区間であり、区間７０Ａと区間８０Ａとの間の区間である。
［区間６０Ａについて］
区間６０ＡのインピーダンスＩｐ６０Ａは１００Ωである。
［区間７０Ａについて］
グランドパターン１２６、１３６は、図３（Ａ），（Ｂ）に示すＹ１側繋ぎパターン部２８、３８に対応するパターン部は有しない。よって、図５中の拡大して示す図中、円Ｂで囲んで示すように、ワイヤ４１（４２）は中継配線基板７０の表面のグランドパターンと対向していない。よって、中継配線基板７０の表面のグランドパターンの影響を受けることが起きず、区間７０ＡのインピーダンスＩｐ７０Ａは従来の区間７０のインピーダンスＩｐ７０Ａよりも１００Ωに近い値である。
［区間８０Ａについて］
第１には、インピーダンス整合用グランドパターン１４０、１４１が形成してあることによって、第２には、Ｙ２側繋ぎパターン部１２８が第１の信号コンタクト１３の第１の指部１３ｂの直ぐ下側（Ｚ２側）に位置しており、Ｙ２側繋ぎパターン部１３８が第１の信号コンタクト１３の第１の指部１３ｂの直ぐ下側に位置していることによって、区間８０ＡのインピーダンスＩｐ８０Ａは、従来の区間８０のインピーダンスＩｐ８０に比較して低くなっており、従来の区間８０のインピーダンスＩｐ８０よりも１００Ωに近い値である。
【００３０】
よって、平衡伝送用ケーブルコネクタ１００は、区間７０Ａと区間６０Ａとの間でのインピーダンスの差分、及び区間６０Ａと区間８０Ａとの間でのインピーダンスの差分が従来に比較して共に小さく、よって、従来の平衡伝送用ケーブルコネクタ１０に比べて、良好な信号伝送特性を有する。
【００３１】
次に、上記平衡伝送用ケーブルコネクタ１００に使用される中継配線基板１２０の複数の変形例について説明する。
［第１の変形例］
図１２は第１の変形例になる中継配線基板１２０Ａを示す。この中継配線基板１２０Ａは、２つのグランド層１２２−１、１２２−２を有する構成である。グランド層１２２−１、１２２−２は基材１５０の上下面に形成してある。
［第２の変形例］
図１３は第２の変形例になる中継配線基板１２０Ｂを示す。この中継配線基板１２０Ｂは、図９に示す中継配線基板１２０とは、第１、第２のワイヤ接続用パッド１２４Ｂ、１３４Ｂが相違する。
【００３２】
第１のワイヤ接続用パッド１２４Ｂは、図１３の一部に拡大して示すように、予備半田部１６１，１６２を下地パターン１６０上の両側部に有し、予備半田部１６１，１６２の間が溝部１６３となっている構成である。ワイヤ４１は溝部１６３に嵌合して位置決めされ、下地パターン１６０の中心に半田付けされる。ワイヤ４１は図１３に示すように潰し加工を施して断面が小判形状でもよい。
【００３３】
このワイヤ接続用パッド１２４Ｂは、図１４（Ａ）に示すように、下地パターン１６０の中心に耐熱性を有するテープ１６４を貼り、同図（Ｂ）に示すように、下地パターン１６０上にクリーム半田１６５を塗布し、次いで、加熱して、クリーム半田１６５を溶かす。これによって、同図（Ｃ）に示すようになる。１６６は溶けてその後に凝固した半田である。最後に、同図（Ｄ）に示すように、テープ１６３を剥離することによって、予備半田部１６１，１６２がリブ形状となって下地パターン１６０上に残る。
【００３４】
第２のワイヤ接続用パッド１３４Ｂも上記の第１のワイヤ接続用パッド１２４Ａと同じ構造である。
【００３５】
図１５（Ａ）は第１の変形例の第１のワイヤ接続用パッド１２４Ｂ−１を示す。このワイヤ接続用パッド１２４Ｂ−１は、予備半田部１７０を有する。予備半田部１７０は、上面に、型形成部材１７２を押し付けることによって形成された、溝部１７１を有する。
【００３６】
図１５（Ｂ）は第２の変形例の第１のワイヤ接続用パッド１２４Ｂ−２を示す。このワイヤ接続用パッド１２４Ｂ−２は、図１３のワイヤ接続用パッド１２４Ｂにおいて、溝部１６３の底面にレジスト膜１７３を有する構成である。このレジスト膜１７３は、クリーム半田を塗布する前に、クリーム半田をはじくために下地パターン１６０の中央に形成されたものであって、最後まで残ったものである。
【００３７】
図１６（Ａ）、（Ｂ）は第３の変形例の第１のワイヤ接続用パッド１２４Ｂ−３を示す。ワイヤ接続用パッド１２４Ｂ−３は、図１３の一部に拡大して示すワイヤ接続用パッド１２４ＢのＹ２側に、Ｔ字形状を有して配線パターン１２５の上側をＹ２方向に延びている絶縁パターン１７５を有する構成である。絶縁パターン１７５は、ワイヤ接続時の半田がＹ２方向に流れ出ることを制限する。
【００３８】
図１７（Ａ）、（Ｂ）は第４の変形例の第１のワイヤ接続用パッド１２４Ｂ−４を示す。ワイヤ接続用パッド１２４Ｂ−４は、図１６（Ａ）、（Ｂ）のワイヤ接続用パッド１２４Ｂ−３のＹ２側に溝部を横切る予備半田部１７６が追加されている構成である。ワイヤ接続時に、ワイヤは、Ｘ１，Ｘ２方向に加えて、Ｙ２方向についても位置を規制される。
［第３の変形例］
図１８は第３の変形例になる中継配線基板１２０Ｃを示す。この中継配線基板１２０Ｃは、図１２に示す中継配線基板１２０Ａに、第１、第２のワイヤ接続用パッド１２４、１３４に対応する部分の内層に、線状の内層パターン１８０、１９０を有し、内層パターン１８０、１９０の端と配線パターン１２５、１３５とが夫々ビア１８１，１９１でもって接続してあり、且つ、第１のワイヤ接続用パッド１２４が複数のビア１８２でもって内層パターン１８０と接続してあり、且つ、第２のワイヤ接続用パッド１３４が複数のビア１９２でもって内層パターン１９０と接続してある構成が追加されている構成である。
【００３９】
複数のビア１８２、１９２によって、第１、第２のワイヤ接続用パッド１２４、１３４の中継配線基板の上面及び下面に対する固定力が強化されている。
【００４０】
よって、例えばケーブルが無用に動かされてワイヤを介して第１、第２のワイヤ接続用パッド１２４、１３４に無用な力が作用された場合であっても、第１、第２のワイヤ接続用パッド１２４、１３４が中継配線基板から剥離することが起きない。
［第４の変形例］
図１９は第４の変形例になる中継配線基板１２０Ｄを示す。この中継配線基板１２０Ｄは、図１２に示す中継配線基板１２０Ａに、下面にパターン２００を有し、第１のワイヤ接続用パッド１２４が複数のビア２０１でもってパターン２００と接続してある構成が追加されている構成である。
【００４１】
複数のビア２０１によって、第１のワイヤ接続用パッド１２４の中継配線基板の上面に対する固定力が強化されている。
【図面の簡単な説明】
【００４２】
【図１】従来の平衡伝送用ケーブルコネクタを概略的に示す図である。
【図２】中継配線基板及びこれと関係する部分を拡大して示す図である。
【図３】中継配線基板を示す斜視図である。
【図４】本発明の実施例１の平衡伝送用ケーブルコネクタを概略的に示す図である。
【図５】中継配線基板の断面及び中継配線基板平衡伝送用ケーブル及びコンタクト組立体との接続部分を拡大して示す図である。
【図６】本発明の実施例１の平衡伝送用ケーブルコネクタをシールドハウジングを取り外した状態で示す斜視図である。
【図７】コンタクト組立体を示す図である。
【図８】中継配線基板を示す斜視図である。
【図９】中継配線基板の断面図である。
【図１０】中継配線基板のパターンを取り出して示す斜視図である。
【図１１】平衡伝送用ケーブルを示す図である。
【図１２】第１の変形例になる中継配線基板を示す断面図である。
【図１３】第２の変形例になる中継配線基板を示す断面図である。
【図１４】溝付きのワイヤ接続用パッドの形成方法を説明する図である。
【図１５】第１、第２の変形例のワイヤ接続用パッドを示す図である。
【図１６】第３の変形例のワイヤ接続用パッドを示す図である。
【図１７】第４の変形例のワイヤ接続用パッドを示す図である。
【図１８】第３の変形例になる中継配線基板を示す断面図である。
【図１９】第４の変形例になる中継配線基板を示す断面図である。
【符号の説明】
【００４３】
１１  コンタクト組立体
１２  ブロック体
１３  第１の信号コンタクト
１４  第２の信号コンタクト
１３ｂ、１４ｂ  指部
１５  グランドコンタクト
４０  平衡伝送用ケーブル
４１，４２  ワイヤ
４５  ペア電線
４６、４７  絶縁被覆信号電線
５０  シールドハウジング
６０Ａ、７０Ａ、８０Ａ  区間
１００  平衡伝送用ケーブルコネクタ
１２０、１２０Ａ〜１２０Ｄ  中継配線基板
１２２  グランド層
１２３  第１のコンタクト接続用パッド
１２４，１２４Ｂ  第１のワイヤ接続用パッド
１２５  第１の配線パターン
１２６  第１のグランドパターン
１３３  第２のコンタクト接続用パッド
１３４、１３４Ｂ  第２のワイヤ接続用パッド
１３５  第２の配線パターン
１３６  第２のグランドパターン
１２７、１３７  仕切り用パターン部
１２８、１３８  Ｙ２側繋ぎパターン部
１４０，１４１  インピーダンス整合用グランドパターン
１８２，１９２、２０１  ビア
【図１】
0004673191.tif 000002
【図２】
0004673191.tif 000003
【図３】
0004673191.tif 000004
【図４】
0004673191.tif 000005
【図５】
0004673191.tif 000006
【図６】
0004673191.tif 000007
【図７】
0004673191.tif 000008
【図８】
0004673191.tif 000009
【図９】
0004673191.tif 000010
【図１０】
0004673191.tif 000011
【図１１】
0004673191.tif 000012
【図１２】
0004673191.tif 000013
【図１３】
0004673191.tif 000014
【図１４】
0004673191.tif 000015
【図１５】
0004673191.tif 000016
【図１６】
0004673191.tif 000017
【図１７】
0004673191.tif 000018
【図１８】
0004673191.tif 000019
【図１９】
0004673191.tif 000020